(57)【要約】      （修正有）【課題】妊娠周期に応じて育っていく胎児の重さのみならず、成長過程における胎児の温かさ、鼓動、胎動及び感情等をインタラクティブに疑似体験できる装置及びシステムを提供する。【解決手段】上着１０の腹部の内側には、水留め部１１、アクチュエータ１２、バイブレータ１３を備え、該水溜め部１１は、水量に応じて膨らむ袋状のものがよく、送り込む水は水槽２０にヒーター２２を浸漬し、約３７〜３８℃の温水２３にする。これにより、送水量及び送水速度を可変することで胎児の成長過程をリアルタイムに感じ、温水により胎児の温かみを疑似体験することができる。【選択図】図１
2011085771.tif 000002
【特許請求の範囲】
【請求項１】
腹部に水留め部を有する上着と、
妊婦周期に応じて当該水留め部の水量を調整するポンプ装置を備えたことを特徴とする妊婦体験装置。
【請求項２】
胎児の胎動を表現するためのアクチュエータを備えたことを特徴とする請求項１記載の妊婦体験装置。
【請求項３】
胎児の鼓動を表現するためのバイブレータを備えたことを特徴とする請求項１又は２記載の妊婦体験装置。
【請求項４】
使用者が腹部をなでた状態を検知する接触センサー及び／又は圧力センサーを備えたことを特徴とする請求項１〜３のいずれかに記載の妊婦体験装置。
【請求項５】
上着の腹部に水溜め部と、アクチュエータ、バイブレータ、接触センサー、圧力センサー、スピーカー及びマイクのうち少なくとも１つ以上を有し、
使用者の腹部のなでる位置及び強さ、又は声のいずれか１つ以上を感知して胎児の感情を前記アクチュエータ、バイブレータ及びスピーカーのいずれか１つ以上で表現することを特徴とする妊婦体験システム。
【請求項６】
さらに、使用者の腹部に擬似的に超音波検査プローブを当てると、妊婦周期や胎児の感情に表せてモニターに胎児の状態が出現することを特徴とする請求項５記載の妊婦体験システム。
【発明の詳細な説明】
【技術分野】
【０００１】
本発明は、使用者が妊婦を疑似体験できる妊婦体験装置及び胎児の成長過程に応じて胎児の重さ、温かさ、感情等を疑似体験できる妊婦体験システムに関する。
【背景技術】
【０００２】
妊娠，出産は女性だけの特権であり、男性には経験することはできないが、妊婦の大変さを理解することが夫婦間において必要な時代と言われる。
また、助産師、保健師、看護師等の教育や両親学級においても妊婦の疑似体験が必要と言われている。
【０００３】
非特許文献１に、妊婦体験ジャケットを開示するが、シリコーンゲル及び鉄の粒により妊婦の身体的負荷を体験できるのにとどまり、また、妊娠周期に合せて重り袋を入れ替える必要があることから、胎児の成長過程に応じてリアルタイムに体験できるものではない。
また、胎児の体温、心音等の鼓動、胎児がお腹を蹴る等の胎動、さらには、胎児の感情の変化等を胎児の成長過程に応じて体験できるものではない。
【先行技術文献】
【非特許文献】
【０００４】
【非特許文献１】http://www.kokenmpc.co.jp/products/life_simulation_models/nursing_education/lm-054/index.html，妊婦体験ジャケット
【発明の概要】
【発明が解決しようとする課題】
【０００５】
本発明は、妊娠周期に応じて育っていく胎児の重さのみならず、成長過程における胎児の温かさ、鼓動、胎動及び感情等をインタラクティブに疑似体験できる装置及びシステムの提供を目的とする。
【課題を解決するための手段】
【０００６】
本発明に係る妊婦体験装置は、腹部に水留め部を有する上着と、妊婦周期に応じて当該水留め部の水量を調整するポンプ装置を備えたことを特徴とする。
ここで、さらに胎児の胎動を表現するためのアクチュエータ、胎児の鼓動を表現するためのバイブレータ、使用者（体験者）が腹部をなでた状態を検知する接触センサーや圧力センサー等を備えてもよい。
【０００７】
また、水留め部に送水する水は、胎児の温かみが感じられる約３７〜３８℃の温水であるのがよく、お腹の出具合を表現するバルーンを上衣の内側に設けてもよい。
【０００８】
上記のような装置を用いることで本発明に係る妊婦体験システムは、上着の腹部に水溜め部と、アクチュエータ、バイブレータ、接触センサー、圧力センサー、スピーカー及びマイクのうち少なくとも１つ以上を有し、使用者の腹部のなでる位置及び強さ、又は声のいずれか１つ以上を感知して胎児の感情を前記アクチュエータ、バイブレータ及びスピーカーのいずれか１つ以上で表現することを特徴とする。
さらに、使用者の腹部に擬似的に超音波検査プローブを当てると、妊婦周期や胎児の感情に表せてモニターに胎児の状態が出現するようにしてもよい。
【発明の効果】
【０００９】
本発明においては、水留め部にポンプ装置で水を送り込むことで妊娠周期に応じた胎児の重さをリアルタイムに疑似体験でき、水を温水にすることで、胎児の温かみも感じとることができる。
【００１０】
また、スピーカーで胎児の心音や吐息、鳴き声等を呈示し、バイブレータが振動することで鼓動を呈示し、エアー等を駆動源にしたアクチュエータが作動することで胎動を呈示することができる。
【００１１】
さらには、マイクが使用者の声を取り込み、接触センサーが腹のなでる位置を検知し、圧力センサーが腹の押さえ方を検知し、これに応じて胎児がスピーカー、バイブレータ、アクチュエータで反応する。
また、ポンプの送水速度の変化を通じて、成長速度を呈示することもできる。
このような状態をモニターに表現するために超音波検査プローブを擬似的に腹に当てても良い。
【図面の簡単な説明】
【００１２】
【図１】本発明に係る妊婦疑似体験システムの構成例を示す。
【図２】擬似的な超音波検査プローブを用いて擬似的な胎児の動きを体験する例を示す。
【図３】胎児の大きさ、動きを擬似的にモニターに表現させた例を示し、（ａ）から（ｂ）に成長した過程例を示す。
【図４】本発明に用いる上着の構成例を示す。  （ａ）は上衣本体部を示し、（ｂ）は腹部に巻く胎動ベルトの例を示す。
【図５】胎児の感情モデルの推移図を示す。
【図６】胎児の感情に合せて設定した相対指標の例を示す。
【発明を実施するための形態】
【００１３】
本発明に係る妊婦体験装置及びシステムの構成例を示すが、本発明の趣旨の範囲において適宜変更して活用できる。
上着１０の腹部の内側には、水留め部１１、アクチュエータ１２、バイブレータ１３を有する。
水留め部１１に送り込む温水だけでは腹部の出っ張り具合が表現しにくい場合には、エアーで膨らむバルーン１８を設けてもよいが、本システムの機能には直接的に関与しない。
水溜め部１１は、水量に応じて膨らむ袋状のものがよく、送り込む水は水槽２０にヒーター２２を浸漬し、約３７〜３８℃の温水２３にする。
これにより、送水量及び送水速度を可変することで胎児の成長過程をリアルタイムに感じ、温水により胎児の温かみを疑似体験することができる。
【００１４】
アクチュエータ１２は、胎動を表現するものであり、コンプレッサー３０にて加圧されたエアーを電磁弁３１を介して間欠作動させることで、アクチュエータ１２の先端部が突没し、胎動を呈示する。
【００１５】
上着の腹部の出っ張り部には、導電性糸等を縫着した接触センサー１７及び押圧により曲がったり変形する板状の圧力センサー１６を有し、必要に応じてスピーカー１４やマイク１５も備えている。
これらの動きは制御操作部５１を有するＰＣ５０にて管理されている。
【００１６】
超音波検診に見立てて超音波検査の疑似プローブ４０を腹部に当てると、図２及び３に示すように胎児の成長過程が擬似的に予めプログラミングされた映像がモニター６０に出現するようになっている。
【００１７】
本発明に係る上着１０は、上記の機能を１つのジャケットに設けてもよいが、着衣しやすい観点からは図４に示すように上着本体部１０Ａと胎動ベルト１０Ｂとに分離してもよい。
胎動ベルト１０Ｂは、疑似体験者が胎動を腹部に直接的に感じやすいように内側にアクチュエータ１２の突出部を形成したベルト状になっている。
疑似体験者の腹部にマジックテープ（登録商標）等１０ｈ，１０ｉを用いて巻き付けることができる。
その上から、上着本体部１０Ａを着衣する。
上着本体部１０Ａは後開きのジャケットになっていて、内側に水溜め部１１を有し、その外側の腹部の出っ張り部１０ｇに接触センサー１７，圧力センサー１６及び胸元にマイク１５を取り付け、必要に応じてバイブレータやスピーカー等も取り付ける。
後開きジャケットは、肩ひも１０ａと上半身の後側に廻して装着するベルト部１０ｂ，１０ｃ，１０ｄを有し、これらはマジックテープ（登録商標）１０ｅ，１０ｆを有する。
【００１８】
次に本システムの使用例を説明する。
胎児には、「標準」、「怒り」、「悲しみ」、「喜び」、「嫌悪感」の５種類の感情が存在する。
腹部をさわる、話しかける等コミュニケーションの取り方によって様々な感情を抱く。図５に感情モデルの推移図を示す。
横軸はコミュニケーション量、縦軸はコミュニケーション方法を示している。
図６に感情による胎児の変化を設定した例を示し、数値は相対的な強弱を示す。
なお図６は例示であり、これに限定されるものではない。
胎児の感情はコミュニケーションの取り方によって変化する。
胎児に対してコミュニケーションを取らなければ「悲しみ」の感情を抱き、胎動と鼓動が弱くなり、成長速度が遅くなってくる。
コミュニケーションを適度に取ることで胎児は「喜び」の感情を抱き、元気よく胎動し、鼓動もしっかりと聞くことができ成長速度が速くなる。
強く腹部を触る、大きな音を立てると胎児は「怒り」の感情を抱き、体内で暴れ、鼓動も大きくなる。
喜ばせようと過度なコミュニケーションを取ると、「嫌悪感」の感情を抱き、胎動も小さくなり、成長も遅くなってしまう。
一定の頻度で胎児は感情によって泣き声や笑い声等の声をあげる。
胎児は胎動、鼓動、声を用いてユーザーに対して感情を伝える。
【００１９】
このように本システムは使用者（疑似体験者）がインタラクティブに妊婦を疑似体験できることから、胎児が成長する喜びや、それに伴う胎児の重さ等の身体的負担を体験することができ、「生命の尊さ」、「助け合いの大切さ」、「親への感謝の気持ち」等を養うのに寄与できることが期待される。
本システムは男性や子供が妊婦を疑似体験するのに役立つのみならず、女性が疑似体験することで妊娠に対しての不安や抵抗を少なくするのに役立つ。
看護師、保健師、助産師等の教育手段にも活用が期待される。
また、本システムは体験者の情報を記録したり胎児にかかる圧力、声、振動等も記録できるから、データロガーとしても使用できる。
これらのデータに基づいて胎児にかかる負担を理解することもできる。
さらには、例えば体験者が激しい運動したときには、「これは胎児に危険です。」、「今の歩き方ならば胎児は安心です。」等のメッセージを出すことで将来妊婦になった場合のトレーニングにも使用できる。
【符号の説明】
【００２０】
１０      上着
１１      水溜め部
１２      アクチュエータ
１３      バイブレータ
１４      スピーカー
１５      マイク
１６      圧力センサー
１７      接触センサー
１８      バルーン
２０      水槽
２１      ポンプ
３０      コンプレッサー
５１      制御操作部
【図１】
2011085771.tif 000003
【図２】
2011085771.tif 000004
【図３】
2011085771.tif 000005
【図４】
2011085771.tif 000006
【図５】
2011085771.tif 000007
【図６】
2011085771.tif 000008